(57)【要約】【課題】  見切り部材などの別部材を用いずに、太陽電池を立体的に表現できるようにする。【解決手段】  時計ガラス２の下側に配置されたリング状の太陽電池１２に対応する時計ガラス２の下面２ｂに、時計ガラス２の外周部側から内部側に向かうに伴って斜め下方に傾斜する斜面１３を形成した。従って、この斜面１３によって太陽電池１２を立体的に表現することができる。これにより、デザイン的にも装飾的にも好ましいものを得ることができると共に、従来例のような見切り部材などの別部材を用いる必要がないので、部品点数が少なく、構造が簡単で、低価格なものを得ることができる。【選択図】        図１
2005331308.tif 000002
【特許請求の範囲】
【請求項１】
時計ガラスと、この時計ガラスの下側に配置されたリング状の太陽電池とを備え、
前記リング状の太陽電池に対応する前記時計ガラスの下面に、前記時計ガラスの外周部側から内部側に向かうに伴って斜め下方に傾斜する斜面が形成されていることを特徴とする腕時計。
【発明の詳細な説明】
【技術分野】
【０００１】
この発明は、腕時計に関し、更に詳しくは太陽電池を備えた腕時計に関する。
【背景技術】
【０００２】
従来、太陽電池を備えた腕時計においては、時計ガラスの下側に透明基板を配置し、この透明基板の下面にリング状の太陽電池を設け、この太陽電池に対応する透明基板の上面、または時計ガラスの上面、もしくは時計ガラスの下面を凹凸面に形成し、この凹凸面によって外部光を乱反射させることにより、太陽電池の色調を柔らげるように構成したものがある。
【特許文献１】実公昭６０−５４９９１号公報
【発明の開示】
【発明が解決しようとする課題】
【０００３】
しかしながら、このような従来の腕時計では、太陽電池に対応する透明基板の上面、または時計ガラスの上面、もしくは時計ガラスの下面に形成された凹凸面によって太陽電池の色調を柔らげることができても、リング状の太陽電池が時計ガラスおよび透明基板を通して平面的に見えるだけで、デザイン性および装飾性に欠けるという不都合がある。
【０００４】
なお、このような不都合を解消するために、時計ガラスの下側に透明基板に代えて文字板を配置し、この文字板上にリング状の太陽電池を設け、この太陽電池と時計ガラスの間に上面が傾斜面に形成されたリング状の透明な見切り部材を配置し、この見切り部材によって太陽電池が立体的に見えるように構成したものがある。しかし、このような構造の腕時計では、時計ガラスと太陽電池との間に見切り部材を設けなければならないため、部品点数が増え、構造が複雑になるという問題がある。
【０００５】
この発明が解決しようとする課題は、見切り部材などの別部材を用いず、簡単な構造で、太陽電池を立体的に表現できる腕時計を提供することである。
【課題を解決するための手段】
【０００６】
請求項１に記載の発明は、時計ガラスと、この時計ガラスの下側に配置されたリング状の太陽電池とを備え、前記リング状の太陽電池に対応する前記時計ガラスの下面に、前記時計ガラスの外周部側から内部側に向かうに伴って斜め下方に傾斜する斜面が形成されていることを特徴とする腕時計である。
【発明の効果】
【０００７】
請求項１に記載の発明によれば、時計ガラスの下側に配置されたリング状の太陽電池に対応する時計ガラスの下面に、時計ガラスの外周部側から内部側に向かうに伴って斜め下方に傾斜する斜面を形成したので、この斜面によって太陽電池を立体的に表現することができ、これによりデザイン的にも装飾的にも好ましいものを得ることができると共に、従来例のような見切り部材などの別部品を用いる必要がないので、部品点数が少なく、構造も簡単で、低価格なものを得ることができる。
【発明を実施するための最良の形態】
【０００８】
（実施形態１）
以下、図１を参照して、この発明を適用した腕時計の実施形態１について説明する。
図１はこの発明の腕時計の要部を示した拡大断面図である。
この腕時計は、腕時計ケース１を備えている。この腕時計ケース１の上部には、時計ガラス２が取り付けられており、この腕時計ケース１の内部には、時計モジュール３が組み込まれている。また、この腕時計ケース１の下面には、裏蓋４が取り付けられている。
【０００９】
この場合、時計モジュール３は、アナログ機能とデジタル機能とのうち、少なくともアナログ機能を備えている。すなわち、この時計モジュール３は、ハウジング５を備えており、このハウジング５の上面には文字板６が配置され、このハウジング５の下面には回路基板７が配置されている。
【００１０】
また、このハウジング５の内部には、アナログムーブメント８が設けられている。このアナログムーブメント８は、指針軸９が文字板６の貫通孔６ａを通して上方に突出し、この突出した指針軸９の上端部に時針、分針、秒針などの指針１０が取り付けられ、この指針１０が文字板６の上方を運針することにより、時刻を指示するように構成されている。
【００１１】
ところで、文字板６の上面には、時字１１が文字板６の外周部に沿って所定間隔で配列されて設けられていると共に、この時字１１の外周側にリング状の太陽電池１２が設けられている。このリング状の太陽電池１２に対応する時計ガラス２の下面２ｂには、時計ガラス２の外周部側から内部側に向かうに伴って斜め下方に傾斜する平面状の斜面１３が形成されている。
【００１２】
この場合、時計ガラス２は、その上面２ａにおける外周部分が上方に向けて緩やかに傾斜する傾斜曲面に形成されていると共に、その上面２ａにおける中央部分がほぼ平坦面に形成されている。また、この時計ガラス２の下面２ｂは、外周側の斜面１３を除いて、この斜面１３の下端部から上方に向けて緩やかに傾斜する傾斜曲面に形成され、その中央部分が上面２ａとほぼ平行な平坦面に形成され、これにより斜面１３を除いて凹部状に形成されている。
【００１３】
このような腕時計によれば、時計ガラス２を通して指針１０および文字板６の時字１１を腕時計ケース１の外部から見ることができ、これにより時刻を知ることができるほか、文字板６上に設けられたリング状の太陽電池１２に時計ガラス２を通して外部光を照射することができると共に、このリング状の太陽電池１２を腕時計ケース１の外部から時計ガラス２を通して見ることができる。
【００１４】
このときには、リング状の太陽電池１２に対応する時計ガラス２の下面２ｂに、時計ガラス２の外周部側から内部側に向かうに伴って斜め下方に傾斜する平面状の斜面１３が形成されているので、この斜面１３によって太陽電池１２を立体的に表現することができ、これによりデザイン的にも装飾的にも好ましいものを得ることができる。
【００１５】
この場合には、特に時計ガラス２の下面２ｂが、斜面１３を除いて凹部状に形成されていることにより、斜面１３に対応する部分とこれ以外の凹部状部分に対応する部分とで、外部からの見え方が異なり、このため文字板６よりも太陽電池１２を強調して立体的に表現することができ、これにより、より一層、デザイン的にも装飾的にも好ましいものを得ることができる。
【００１６】
また、リング状の太陽電池１２に対応する時計ガラス２の下面２ｂに形成された斜面１３によって太陽電池１２を立体的に表現することができるので、従来例のような見切り部材などの別部品を用いる必要がない。このため、部品点数が少なく、構造も簡単で、低価格なものを得ることができる。
【００１７】
なお、上記実施形態１では、時計ガラス２の下面２ｂが、斜面１３を除いて凹部状に形成されている場合について述べたが、これに限らず、例えば図２に示すように、斜面１３を除いて時計ガラス２の下面２ｂを平坦面に形成しても良い。この場合には、時計ガラス２の上面２ａも、下面２ｂと平行な平坦面に形成されている。
【００１８】
このような構造でも、実施形態１と同様、斜面１３に対応する部分とこれ以外の平坦面に対応する部分とで、外部からの見え方が異なり、特に文字板６がほぼ平面的に表現されるため、この文字板６よりも太陽電池１２を強調して立体的に表現することができ、これによっても、より一層、デザイン的にも装飾的にも好ましいものを得ることができる。
【００１９】
（実施形態２）
次に、図３を参照して、この発明を適用した腕時計の実施形態２について説明する。なお、図１に示された実施形態１と同一部分には同一符号を付して説明する。
この腕時計は、腕時計ケース１内に組み込まれる時計モジュール２０がデジタル機能を備えた構造で、これ以外は実施形態１とほぼ同じ構造になっている。
【００２０】
すなわち、この時計モジュール２０は、上部ハウジング２１と下部ハウジング２２とを備えている。上部ハウジング２１の上面には、透明板２３が配置されており、この透明板２３の上面における外周部分には、リング状の太陽電池１２が設けられている。また、この上部ハウジング２１内には、時刻などの情報を電気光学的に表示する液晶表示装置２４が設けられており、この上部ハウジング２１と下部ハウジング２２との間には、回路基板７が配置されている。
【００２１】
この場合、液晶表示装置２４は、その一端部（図３でが左端部）が回路基板７上に配置されたインターコネクタ２５によって、上部ハウジング２１の鍔部２１ａに押し当てられて支持されていると共に回路基板７と電気的に接続されている。また、透明板２３上に設けられたリング状の太陽電池１２に対応する時計ガラス２の下面２ｂには、実施形態１と同様、時計ガラス２の外周部側から内部側に向かうに伴って斜め下方に傾斜する平面状の斜面１３が形成されている。
【００２２】
なお、この時計ガラス２の上面２ａも、実施形態１と同様、その外周部分が上方に向けて緩やかに傾斜する傾斜曲面に形成されていると共に、その上面における中央部分が平坦面に形成されている。また、この時計ガラス２の下面２ｂも、外周側の斜面１３を除いて、この斜面１３の下端部から上方に向けて緩やかに傾斜する傾斜曲面に形成され、その中央部分が上面２ａとほぼ平行な平坦面に形成され、これにより斜面１３を除いて凹部状に形成されている。
【００２３】
このような腕時計によれば、時計ガラス２および透明板２３を通して液晶表示装置２４に表示された情報を腕時計ケース１の外部から見ることができ、これにより時刻を知ることができるほか、透明板２３上に設けられたリング状の太陽電池１２に時計ガラス２を通して外部光を照射することができると共に、このリング状の太陽電池１２を腕時計ケース１の外部から時計ガラス２を通して見ることができる。
【００２４】
このときにも、実施形態１と同様、リング状の太陽電池１２に対応する時計ガラス２の下面２ｂに、時計ガラス２の外周部側から内部側に向かうに伴って斜め下方に傾斜する平面状の斜面１３が形成されているので、この斜面１３によって太陽電池１２を立体的に表現することができ、これによりデザイン的にも装飾的にも好ましいものを得ることができる。
【００２５】
この場合にも、時計ガラス２の下面２ｂが斜面１３を除いて凹部状に形成されていることにより、斜面１３に対応する部分とこれ以外の凹部状部分に対応する部分とで、外部からの見え方が異なり、このため文字板６よりも太陽電池１２を強調して立体的に表現することができ、これにより、より一層、デザイン的にも装飾的にも好ましいものを得ることができる。
【００２６】
また、リング状の太陽電池１２に対応する時計ガラス２の下面２ｂに形成された斜面１３によって太陽電池１２を立体的に表現することができるので、実施形態１と同様、従来例のような見切り部材などの別部品を用いる必要がない。このため、部品点数が少なく、構造も簡単で、低価格なものを得ることができる。
【００２７】
なお、上記実施形態２では、時計ガラス２の下面２ｂが、斜面１３を除いて凹部状に形成されている場合について述べたが、これに限らず、例えば図２に示した実施形態１の変形例と同様、斜面１３を除いて時計ガラス２の下面２ｂを平坦面に形成しても良い。この場合にも、時計ガラス２の上面２ａは、下面２ｂと平行な平坦面に形成されている。
【００２８】
このような構造でも、実施形態２と同様、斜面１３に対応する部分とこれ以外の平坦面に対応する部分とで、外部からの見え方が異なり、特に文字板６がほぼ平面的に表現されるため、この文字板６よりも太陽電池１２を強調して立体的に表現することができ、これによっても、より一層、デザイン的にも装飾的にも好ましいものを得ることができる。
【００２９】
また、上記実施形態１、２およびその各変形例では、時計ガラス２の下面２ｂに形成された斜面１３が平面状に形成されている場合について述べたが、これに限らず、例えば、図４（ａ）に示すように緩やかに湾曲する凸曲面状に形成しても良く、または図４（ｂ）に示すように緩やかに湾曲する凹曲面状に形成しても良い。このように斜面１３を湾曲形成しても、実施形態１、２と同様、太陽電池１２を立体的に表現することができる。
【図面の簡単な説明】
【００３０】
【図１】この発明を適用した腕時計の要部を示した拡大断面図である。（実施形態１）
【図２】図１の時計ガラスの変形例を示した要部の拡大断面図である。
【図３】この発明を適用した腕時計の要部を示した拡大断面図である。（実施形態２）
【図４】時計ガラスの斜面の変形例を示し、（ａ）は凸曲面状に形成した場合を示した要部の拡大図、（ｂ）は凹曲面状に形成した場合を示した要部の拡大図である。
【符号の説明】
【００３１】
１  腕時計ケース
２  時計ガラス
２ａ  上面
２ｂ  下面
３、２０時計モジュール
６  文字板
８  アナログムーブメント
１２  太陽電池
１３  斜面
２３  透明板
２４  液晶表示装置
【図１】
2005331308.tif 000003
【図２】
2005331308.tif 000004
【図３】
2005331308.tif 000005
【図４】
2005331308.tif 000006